(57)【要約】  眼内レンズ挿入器具の眼球への挿入操作を、繰り返し疑似体験することが可能な眼内レンズ挿入器具の挿入練習用キットを提供する。眼内レンズ挿入器具の挿入練習用キットを、眼内レンズ挿入器具の先端部が挿入される挿入孔と、挿入孔に挿入された眼内レンズ挿入器具の先端部の側面を押圧する押圧部とを有し、押圧部は、眼内レンズ挿入器具の挿入孔を、挿入孔の開口面の法線方向から見たときに、挿入孔の少なくとも一部を占める弾性部材を有する構成とする。
2016076391.tif 000002
【特許請求の範囲】
【請求項１】
眼内レンズ挿入器具の先端部が挿入される挿入孔と、
前記挿入孔に挿入された前記眼内レンズ挿入器具の先端部の側面を押圧する押圧部と
を有し、
前記押圧部は、前記眼内レンズ挿入器具の前記挿入孔を、該挿入孔の開口面の法線方向から見たときに、前記挿入孔の少なくとも一部を占める弾性部材を有する
眼内レンズ挿入器具の挿入練習用キット。
【請求項２】
前記押圧部は、前記眼内レンズ挿入器具が、前記眼内レンズ挿入器具の前記挿入孔への挿入方向に摺動自在となるように、前記眼内レンズ挿入器具の先端部の側面を押圧する
請求項１に記載の眼内レンズ挿入器具の挿入練習用キット。
【請求項３】
前記挿入孔は、前記眼内レンズ挿入器具と当接可能に設けられ、
前記眼内レンズ挿入器具が前記挿入孔に当接するとき、前記先端部に設けられた眼内レンズを射出するための開口部の一部が、前記押圧部よりも、前記眼内レンズ挿入器具の挿入方向後側に位置する
請求項１に記載の眼内レンズ挿入器具の挿入練習用キット。
【請求項４】
前記弾性部材は、前記先端部が挿入される切り込みが設けられているシート部材である、請求項１から請求項３のいずれか１項に記載の眼内レンズ挿入器具の挿入練習用キット。
【請求項５】
略半球形状の筐体をさらに有し、
前記挿入孔は、前記筐体の表面に設けられ、
前記筐体は、前記挿入孔に挿入された前記眼内レンズ挿入器具の先端部を観察可能な観察手段を有する
請求項１から請求項４のいずれか１項に記載の眼内レンズ挿入器具の挿入練習用キット。
【請求項６】
前記押圧部と前記弾性部材の少なくとも１つが透明性を有する、請求項１から請求項５のいずれか１項に記載の眼内レンズ挿入器具の挿入練習用キット。
【発明の詳細な説明】
【技術分野】
【０００１】
本発明は、眼内レンズ挿入器具の挿入練習用キット（以下、練習用キットと略す）に関する。
【背景技術】
【０００２】
白内障治療においてヒト混濁水晶体を置換して屈折を補正するために水晶体の代用として挿入される眼内レンズが実用に供されている。白内障治療における眼内レンズ挿入手術においては、例えば角膜、強角膜などの縁に数ミリの切開の創口（切開創）が設けられ、超音波水晶体乳化吸引術などにより水晶体が粉砕されて切開創から取り除かれた後、眼内レンズ挿入器具により眼内レンズが挿入及び固定される。【０００３】
近年においては、患者への負担などの観点から、切開創はできるだけ小さいことが望ましいと考えられている。ただし、小さい切開創に刺入できる眼内レンズ挿入器具を使用する際には、例えば眼球制御、器具先端を切開創に挿入する際の挿入力など、眼内レンズ挿入時に考慮すべき点がある。そのため、実際の手術を疑似体験できるようにするキットが種々提案されている（例えば特許文献１〜４）。
【先行技術文献】
【特許文献】
【０００４】
【特許文献１】国際公開第２０１０／０８４５９５号
【特許文献２】特開２００２−２３６４４３号公報
【特許文献３】特開２００７−１２７７０８号公報
【特許文献４】特表平２−５０２２２４号公報
【発明の概要】
【発明が解決しようとする課題】
【０００５】
しかしながら、上記のキットでは、練習を繰り返す度に疑似角膜あるいは人工角膜を張り替えたりする必要があるため、練習の準備に多くの工数を要するなど、眼内レンズ挿入器具の眼球への挿入操作の練習用キットには適しない可能性がある。【０００６】
本件開示の技術は、上記の事情に鑑みてなされたものであり、その目的とするところは、眼内レンズ挿入器具の眼球への挿入操作を、繰り返し疑似体験することが可能な眼内レンズ挿入器具の挿入練習用キットを提供することである。
【課題を解決するための手段】
【０００７】
本件開示の眼内レンズ挿入器具の挿入練習用キットは、眼内レンズ挿入器具の先端部が挿入される挿入孔と、挿入孔に挿入された眼内レンズ挿入器具の先端部の側面を押圧する押圧部とを有し、押圧部は、眼内レンズ挿入器具の挿入孔を、挿入孔の開口面の法線方向から見たときに、挿入孔の少なくとも一部を占める弾性部材を有する。これにより、練習者は、押圧部を患者の角膜、強角膜などに見立て、眼内レンズ挿入器具の先端部を当該挿入孔に挿入したときの眼内レンズ挿入器具の押し込み力に基づいて、眼内レンズ挿入器具の適切な挿入量を感覚的に把握することができる。そして、練習者は、眼内レンズ挿入器具の挿入量を適切に制御することにより、実際の手術においても、眼内レンズ挿入器具を用いた眼内レンズの射出時に、眼内レンズの射出挙動をより安定させることができると期待される。【０００８】
また、押圧部は、眼内レンズ挿入器具が、眼内レンズ挿入器具の挿入孔への挿入方向に摺動自在となるように、眼内レンズ挿入器具の先端部の側面を押圧するように設けられている。また、挿入孔は、眼内レンズ挿入器具と当接可能に設けられ、眼内レンズ挿入器具が挿入孔に当接するとき、先端部に設けられた眼内レンズを射出するための開口部の一部が、押圧部よりも、眼内レンズ挿入器具の挿入方向後側に位置する。これにより、眼内レンズ挿入器具が挿入孔に当接するとき、眼内レンズ挿入器具の位置は、実際の手術ではレンズ射出挙動不全が発生する可能性がある位置となる。したがって、このように構成された眼内レンズ挿入器具の挿入練習用キットでは、練習者は、レンズ射出挙動不全が発生する可能性がある眼内レンズ挿入器具の挿入状態を把握することができる。【０００９】
また、上記の弾性部材は、先端部が挿入される切り込みが設けられているシート部材である。これにより、押圧部を実際の手術において設けられる切開創と同様の構成とすることができるため、練習者は、このように構成された押圧部に眼内レンズ挿入器具を挿入することで、より実地に近い眼内レンズ挿入器具の挿入を練習することができる。【００１０】
さらに、眼内レンズ挿入器具の挿入練習用キットは、略半球形状の筐体をさらに有し、挿入孔は、筐体の表面に設けられ、筐体は、挿入孔に挿入された眼内レンズ挿入器具の先端部を観察可能な観察手段を有する。これにより、筐体を患者の眼球に見立て、実際の手術において切開創が設けられる位置に挿入孔を配置することにより、練習者は、より実際の手術に近い状態で眼内レンズ挿入器具の挿入を練習することができる。また、押圧部と弾性部材の少なくとも１つが透明性を有するように構成しても酔い。これにより、練習者にとって、挿入孔に挿入された眼内レンズ挿入器具を確認しやすくなる。
【発明の効果】
【００１１】
本件開示の技術によれば、眼内レンズ挿入器具の眼球への挿入操作を、繰り返し疑似体験することが可能な眼内レンズ挿入器具の練習用キットを提供することができる。
【図面の簡単な説明】
【００１２】
【図１】一実施形態における眼内レンズ挿入器具の挿入練習用キットの概略構成を示す図である。
【図２】一実施形態における眼内レンズ挿入器具の挿入練習用キットの断面図である。
【図３】一実施形態における眼内レンズ挿入器具の挿入練習用キットの挿入部および眼内レンズ挿入器具の拡大断面図である。
【図４】一実施形態における眼内レンズ挿入器具の挿入練習用キットの挿入部および眼内レンズ挿入器具の拡大断面図である。
【図５】一実施形態における眼内レンズ挿入器具の挿入練習用キットの模式図である。
【図６】一実施形態における眼内レンズ挿入器具の挿入練習用キットの上面図である。
【図７】一実施形態における眼内レンズ挿入器具の挿入練習用キットの側面図である。
【図８】一実施形態における眼内レンズ挿入器具の挿入練習用キットの断面図である。
【図９】一実施形態における眼内レンズ挿入器具の挿入練習用キットの挿入部および眼内レンズ挿入器具の拡大断面図である。
【図１０】一実施形態における眼内レンズ挿入器具の挿入練習用キットの挿入部および眼内レンズ挿入器具の拡大断面図である。
【図１１】一変形例における眼内レンズ挿入器具の挿入練習用キットの概略構成を示す図である。
【図１２】一変形例における眼内レンズ挿入器具の挿入練習用キットの断面図である。
【図１３】一変形例における眼内レンズ挿入器具の挿入練習用キットの模式図である。
【図１４】一変形例における眼内レンズ挿入器具の挿入練習用キットの挿入部および眼内レンズ挿入器具の拡大断面図である。
【図１５】一変形例における眼内レンズ挿入器具の挿入練習用キットの挿入部および眼内レンズ挿入器具の拡大断面図である。
【図１６】一変形例における眼内レンズ挿入器具の挿入練習用キットの概略構成を示す図である。
【発明を実施するための形態】
【００１３】
以下に、図面を参照して本発明の実施の形態について説明する。
【００１４】
〔第１の実施形態〕
図１に第１の実施形態における眼内レンズ挿入器具の練習用キット１の上面図を示す。また、図２には、図１におけるＡ−Ａ線による断面図を示す。本実施形態では、眼内レンズ挿入器具の練習用キット１は、３枚の円形の透明プレート１０、１１、１２が重ねて組み付けられている。また、眼内レンズ挿入器具の練習用キット１は、ねじ１３〜１６とナット１７〜２０によって透明プレート１０、１１、１２が互いに固定される。
【００１５】
本実施形態における眼内レンズ挿入器具の練習用キット１では、透明プレート１０、１１、１２の中心に、眼内レンズ挿入器具の先端部が挿通可能な径を有する挿入孔１０ｈ、１１ｈ、１２ｈが設けられている。なお、透明プレート１０、１２には同一径の孔が設けられる。さらに、透明プレート１１に設けられる挿入孔１１ｈは、ワッシャ２１とＯリング２２が配置できるだけ余分に大きな径を有する孔として設けられる。また、図２に示すように透明プレート１０、１１、１２の挿入孔１０ｈ、１１ｈ、１２ｈは互いに重なるように組み付けられる。なお、Ｏリング２２の外径は透明プレート１０、１２に設けられている挿入孔１０ｈ、１２ｈの径よりも大きく設けられているため、Ｏリング２２がワッシャ２１と共に透明プレート１１の孔に嵌め込まれて透明プレート１０、１２に挟まれて組み付けられた後に、Ｏリング２２が挿入孔１０ｈ、１２ｈから抜け落ちる懸念はない。また、ワッシャ２１およびＯリング２２は、色がなく透明なものが望ましい。これにより、練習者にとっては、ワッシャ２１およびＯリング２２を通して挿入孔１０ｈ、１１ｈ、１２ｈに挿入された眼内レンズ挿入器具を確認しやすくなる。
【００１６】
本実施形態の眼内レンズ挿入器具の練習用キット１では、Ｏリング２２が実際の手術における患者の角膜、強角膜などの代わりとして用いられる。なお、図ではワッシャ２１およびＯリング２２の寸法は透明プレート１０、１１、１２との間に隙間が生じないように設けられているが、ワッシャ２１およびＯリング２２と透明プレート１０、１１、１２との間に空間が設けられるように、ワッシャ２１およびＯリングの寸法を設定してもよい。この場合、眼内レンズ挿入器具２がＯリング２２に挿入される際に、ワッシャ２１およびＯリング２２が、透明プレート１０、１１、１２との間に設けられた空間内を移動する。これにより、Ｏリング２２の孔と透明プレート１０、１１、１２に設けられる挿入孔１０ｈ、１１ｈ、１２ｈとの中心合わせを好適に行うことができる。なお、ワッシャ２１の内径を調節することで、ワッシャ２１に嵌め込まれたＯリング２２の内径を制御することができる。これにより、眼内レンズ挿入器具２がＯリング２２に挿入されたときに、Ｏリング２２による眼内レンズ挿入器具２の押圧力を調節することができる。
【００１７】
本実施形態の眼内レンズ挿入器具の練習用キット１では、一例として、透明プレート１０、１２に設けられる挿入孔１０ｈ、１２ｈの径を２．５ｍｍ、Ｏリング２２の内径を１．２５ｍｍ、透明プレート１０、１１、１２の各プレートの厚さを１．０ｍｍとなるように構成される。本実施形態において、眼内レンズ挿入器具の練習用キット１には、眼内レンズ挿入器具の先端部を透明プレート１２側から挿入する。本実施形態では、Ｏリング２２の透明プレート１２側の面Ｐ１から透明プレート１０の上面Ｐ２までの孔をトンネルと称し、トンネル長さを２．０ｍｍとなるように構成する。
【００１８】
図３に、本実施形態の眼内レンズ挿入器具の練習用キット１に眼内レンズ挿入器具２の先端部を挿入したときの例を模式的に示す。図３は、眼内レンズ挿入器具の練習用キット１に対する眼内レンズ挿入器具２の挿入量が少ない場合を示している。なお、本実施形態において、組付けが完了した眼内レンズ挿入器具の練習用キット１は、バイスなどの位置固定器具を用いて固定され、練習者は固定された眼内レンズ挿入器具の練習用キット１に眼内レンズ挿入器具２の先端部を挿入する。
【００１９】
図３に示すように、眼内レンズ挿入器具の練習用キット１に対する眼内レンズ挿入器具２の先端部の挿入量が少ないと、眼内レンズ挿入器具２の先端部のトンネルからの突出量（長さ）Ｄが、後述する図４の場合に比べて少ない。さらに、眼内レンズ挿入器具２の開口部２３の一部が、Ｏリング２２の透明プレート１２側の面Ｐ１よりも透明プレート１２側に存在する。このため、練習者が、眼内レンズ挿入器具２が備える眼内レンズを押し出すためのプランジャー（図示せず）を操作して、眼内レンズを眼内レンズ挿入器具２の先端部側に移動すると、眼内レンズが、開口部２３のトンネル側の領域ではなくＯリング２２の面Ｐ１より透明プレート１２側を通って、眼内レンズ挿入器具２から射出される可能性がある。これは、実際の手術におけるレンズ射出挙動不全に相当する。
【００２０】
レンズ射出挙動不全とは、例えば、眼内レンズ挿入器具２から眼内レンズを射出する際に、眼内レンズが眼内に案内されずに角膜、強角膜などの外側、すなわち眼外に移動してしまう現象である。レンズ射出挙動不全は、例えば、角膜、強角膜などの切開創に対する眼内レンズ挿入器具２の先端部の挿入量が少ないために、眼内レンズ挿入器具２の先端部の開口部２３の一部が切開創の外側に位置することで、眼内レンズが、切開創の外側に位置する開口部２３の一部から射出されることで発生する。
【００２１】
次に、図４に、本実施形態の眼内レンズ挿入器具の練習用キット１に眼内レンズ挿入器具２の先端部を挿入し、練習者が眼内レンズ挿入器具２を眼内レンズ挿入器具の練習用キット１に押し込んでいったときの例を模式的に示す。図４に示す例では、眼内レンズ挿入器具の練習用キット１に対する眼内レンズ挿入器具２の挿入量が適切である、すなわち実際の手術においてレンズ射出挙動不全が発生する可能性がない場合を示している。なお、図４に示す眼内レンズ挿入器具の練習用キット１も、図３と同様に、バイスなどの位置固定器具を用いて固定されている。
【００２２】
図４に示すように、眼内レンズ挿入器具の練習用キット１に対する眼内レンズ挿入器具２の先端部の挿入量が十分であると、眼内レンズ挿入器具２の先端部のトンネルからの突出量（長さ）Ｄが、上述の図３の場合に比べて多い。さらに、眼内レンズ挿入器具２の開口部２３全体が、Ｏリング２２の面Ｐ１よりも透明プレート１０側、すなわちトンネル内に存在する。
【００２３】
このため、図３の場合とは異なり、練習者が、眼内レンズ挿入器具２のプランジャーを操作して、眼内レンズを眼内レンズ挿入器具２の先端部側に移動するときに、眼内レンズがＯリング２２の面Ｐ１よりも透明プレート１２側に射出される可能性はない。したがって、図３の場合のように実際の手術におけるレンズ射出挙動不全は発生しない。
【００２４】
本実施形態において、図１〜図４に示すように、Ｏリング２２は、挿入孔１０ｈの開口面Ｐ３（図２〜図４では点線にて示す）の法線方向から、すなわち図１では紙面に垂直な方向から、図２〜図４では紙面の上下方向から見たときに、挿入孔１０ｈの一部を占めるように構成されている。また、練習者による眼内レンズ挿入器具２のＯリング２２への押し込み力が大きくなるほど、眼内レンズ挿入器具の練習用キット１に対する眼内レンズ挿入器具２の挿入量は多くなる。
【００２５】
したがって、練習者は、眼内レンズ挿入器具２のＯリング２２への押し込み力が不十分であり、図３の場合のようにレンズ射出挙動不全が発生してしまう可能性があるときは、図４に示す位置になるまで眼内レンズ挿入器具２をさらにトンネル側に押し込む。これにより、練習者は、眼内レンズ挿入器具の練習用キット１に対する眼内レンズ挿入器具２の適切な挿入量を、眼内レンズ挿入器具２のＯリング２２への押し込み力に基づいて感覚的に把握することができる。さらに、Ｏリング２２および透明プレート１０、１１、１２が透明部材で形成されていることから、練習者は、眼内レンズ挿入器具２の先端部のトンネルからの突出量（長さ）Ｄを確認し、眼内レンズ挿入器具の練習用キット１に対する眼内レンズ挿入器具２の適切な挿入量を目視で確認することもできる。
【００２６】
〔第２の実施形態〕
次に、第２の実施形態に係る眼内レンズ挿入器具の練習用キット１００について、図を参照しながら説明する。図５に第２の実施形態に係る眼内レンズ挿入器具の練習用キット１００の斜視図を示す。また、図６に眼内レンズ挿入器具の練習用キット１００の上面図を示す。また、図７に眼内レンズ挿入器具の練習用キット１００の側面図を示す。図５〜７に示すように、眼内レンズ挿入器具の練習用キット１００は、台板１０１、支持部１０２、ドーム部１０３を有する。台板１０１の上に支持部１０２が載置されており、支持部１０２の上にドーム部１０３が接続されている。台板１０１は、略正方形の平板部材である。支持部１０２は、中空の円筒部材である。また、ドーム部１０３は、略半球形状の部材である。また、ドーム部１０３の外形は、患者の眼球の角膜形状を想定して形成されている。
【００２７】
図５、図６に示すように、本実施形態に係る眼内レンズ挿入器具の練習用キット１００は、ドーム部１０３に観察窓１０４、眼内レンズ挿入器具の挿入部１０５、プレート保持部１０６をそれぞれ有する。観察窓１０４は、ドーム部１０３を貫通する略円形の孔にＰＭＭＡ（Polymethyl Methacrylate）などの透明性を有する窓材が嵌め込まれて構成されている。したがって、観察窓１０４からドーム部１０３内を確認することができる。
【００２８】
図８に、図６のＢ−Ｂ線による眼内レンズ挿入器具の練習用キット１００の断面図を示す。図８に示すように、本実施形態に係る眼内レンズ挿入器具の練習用キット１００の観察窓１０４は、窓材１０４ａ、窓材１０４ａを受ける受け部１０４ｂ、ドーム部１０３を貫通する貫通孔１０４ｃを有する。また、眼内レンズ挿入器具の挿入部１０５は、透明プレート１０５ａ、Ｏリング１０５ｃを保持するワッシャ１０５ｂ、Ｏリング１０５ｃ、ドーム部１０３を貫通する貫通孔１０５ｄを有する。透明プレート１０５ａには、眼内レンズ挿入器具の先端部を挿入するための挿入孔１０５ｈが設けられている。
【００２９】
図８に示すように、ワッシャ１０５ｂおよびＯリング１０５ｃは、ドーム部１０３に設けられた凹部に嵌め込まれている。そして、透明プレート１０５ａがワッシャ１０５ｂおよびＯリング１０５ｃに当接して覆うように配置され、透明プレート１０５aは、プレート保持部１０６によって保持されている。本実施形態において、Ｏリング１０５ｃが実際の手術における患者の角膜、強角膜などに対応する。
【００３０】
プレート保持部１０６は、ドーム部１０３に対して着脱可能に取り付けられる。眼内レンズ挿入器具の練習用キット１００の使用者は、プレート保持部１０６を取り外し、プレート保持部１０６が取り外された箇所から透明プレート１０５ａを眼内レンズ挿入器具の挿入部１０５にセットする。透明プレート１０５ａのセットが完了したら、プレート保持部１０６を再度ドーム部１０３に取り付ける。プレート保持部１０６がないと、セットされた透明プレート１０５ａが眼内レンズ挿入器具の挿入部１０５から脱落してしまう。したがって、プレート保持部１０６をドーム部１０３に取り付けることにより、眼内レンズ挿入器具の挿入部１０５にセットされた透明プレート１０５ａは、プレート保持部１０６によって保持された状態となる。
【００３１】
なお、本実施形態において、ドーム部１０３は眼球の角膜形状を想定して形成されており、ドーム部１０３の表面に設けられる眼内レンズ挿入器具の挿入部１０５の位置は、通常の手術において設けられる切開創の位置に対応している。このため、練習者は、挿入部１０５に対する眼内レンズ挿入器具の挿入角度なども、実際の手術と同じように練習することができる。
【００３２】
なお、本実施形態においてＯリング１０５ｃは断面が円形であるが、第１の実施形態と同様、断面が他の形状であるＯリング１０５ｃを用いてもよい。また、図８に示すように、プレート保持部１０６は、ドーム部１０３に取り付けられると、眼内レンズ挿入器具の挿入部１０５にセットされた透明プレート１０５ａと係合し、透明プレート１０５ａが眼内レンズ挿入器具の挿入部１０５から脱落しないように透明プレート１０５ａを保持する。
【００３３】
本実施形態において、透明プレート１０５ａに設けられる挿入孔１０５ｈの径、Ｏリング１０５ｃの内径、貫通孔１０５ｄの径は、それぞれ第１の実施形態における、透明プレート１２に設けられる挿入孔１２ｈの径、Ｏリング２２の内径、透明プレート１０に設けられる貫通孔の径と同様に設定される。さらに、透明プレート１０５ａのワッシャ１０５ｂと接する面１０５ｅから貫通孔１０５ｄのドーム部１０３の内側の開口までの範囲を第１の実施形態と同様にトンネルと称してその長さをＬとし、眼内レンズ挿入器具の挿入部１０５に眼内レンズ挿入器具を挿入するときの眼内レンズ挿入器具の先端部のトンネルからの突出量をＤとする。
【００３４】
図９、１０に、本実施形態の眼内レンズ挿入器具の練習用キット１００に眼内レンズ挿入器具２を挿入する例を示す。図９は、眼内レンズ挿入器具２の挿入量が少ない場合を、図１０は、眼内レンズ挿入器具２の挿入量が適切である場合をそれぞれ示す。図３、４を参照しながら説明した場合と同様、図９の場合は、眼内レンズ挿入器具２の先端部の開口部２３のうち、トンネル手前すなわちＯリング１０５ｃよりも透明プレート１０５ａ側の領域から眼内レンズが射出される可能性がある。一方、図１０の場合は、眼内レンズ挿入器具２の開口部２３はトンネル内あるいはドーム部１０３内にあるため、眼内レンズがトンネル手前に射出される可能性はない。
【００３５】
したがって、第１の実施形態と同様、本実施形態の眼内レンズ挿入器具の練習用キット１００においても、練習者は、眼内レンズ挿入器具２の押し込み力に基づいて、レンズ射出挙動不全が発生する可能性があるか否かを感覚的に把握することができる。さらに、本実施形態では、練習者は、観察窓１０４からトンネルから突出した眼内レンズ挿入器具２の先端部の状態を確認することができる。これにより、練習者は、観察窓１０４から眼内レンズ挿入器具２の先端部の状態を確認しつつ、最適な眼内レンズ挿入器具２の押し込み力を把握することができる。
【００３６】
以上が本実施形態に関する説明であるが、上記の眼内レンズ挿入器具の練習用キットなどの構成は、上記の実施形態に限定されるものではなく、本発明の技術的思想と同一性を失わない範囲内において種々の変更が可能である。例えば、上記の説明において、透明プレート１０の上面Ｐ２に着色を施してもよい。これにより、練習者にとっては、眼内レンズ挿入器具の練習用キット１の透明プレート１０の上面Ｐ２から突出する眼内レンズ挿入器具２の先端部を認識しやすくなる。なお、透明プレート１０の上面Ｐ２に限らず、透明プレート１０の下面、あるいは透明プレート１１、１２の上面または下面に着色を施してもよい。
【００３７】
例えば、以下に上記の実施形態の変形例を３例説明する。なお、上記の各実施形態および下記の各変形例に示す構成は、適宜組み合わせてもよい。また、以下の説明において上記の各実施形態と同様の構成には同一の符号を付し、詳細な説明は省略する。
【００３８】
〔第１の変形例〕
以下に、第１の変形例に係る眼内レンズ挿入器具の練習用キット１０００について説明する。また、第１の変形例に係る眼内レンズ挿入器具の練習用キット１０００においては、眼内レンズ挿入器具の先端部が挿通可能な径を有する２つの挿入部１０１０、１０１１が設けられている。また、挿入部１０１０、１０１１には、眼内レンズ挿入器具の先端部が挿入される挿入孔１０１０ｈ、１０１１ｈがそれぞれ設けられている。そして、挿入孔１０１０ｈは第１の実施形態の挿入孔１２ｈと同様の径により形成され、挿入孔１０１１ｈは挿入孔１０１０ｈよりもさらに小径の孔として形成されている。また、挿入孔１０１０ｈ、１０１１ｈは、それぞれワッシャ１０２１、１０３１およびＯリング１０２２、１０３２を有する。本変形例においてもＯリング１０２２、１０３２が、実際の手術における患者の角膜、強角膜などに対応している。このため、後述するように、眼内レンズ挿入器具２を挿入孔１０１１ｈに挿入する場合、眼内レンズ挿入器具２の先端部は挿入孔１０１１ｈを挿通することができるが、眼内レンズ挿入器具２の本体は、その径が挿入孔１０１１ｈの径より大きいため挿入孔１０１１ｈに当接して挿通することができない。
【００３９】
図１２に、図１１のＣ−Ｃ線による眼内レンズ挿入器具の練習用キット１０００の断面図を示す。図１２に示すように、眼内レンズ挿入器具の練習用キット１０００の挿入孔１０１０ｈに眼内レンズ挿入器具２が挿入される場合、図４の場合と同様、練習者による眼内レンズ挿入器具２の押し込み力に応じて適切な位置まで眼内レンズ挿入器具２が挿入孔１０１０ｈ内を移動する。一方、挿入孔１０１１ｈに眼内レンズ挿入器具２が挿入される場合、図１２に示すように眼内レンズ挿入器具２が挿入孔１０１１ｈの縁に当接し、眼内レンズ挿入器具２を上記の適切な位置まで移動させることができない。したがって、眼内レンズ挿入器具２を挿入孔１０１１ｈに挿入する場合は、必然的に挿入量が不十分で適切でなくレンズ射出挙動不全が発生する可能性がある状態となる。
【００４０】
このように、本変形例では、眼内レンズ挿入器具２を挿入孔１０１０ｈだけでなく挿入孔１０１１ｈにも挿入可能となるように、眼内レンズ挿入器具の練習用キット１０００を構成することで、練習者は、眼内レンズ挿入器具２を挿入孔１０１０ｈに挿入する場合は、眼内レンズ挿入器具２の挿入量が適切となる場合の眼内レンズ挿入器具２の押し込み力を把握することができ、眼内レンズ挿入器具２を挿入孔１０１１ｈに挿入する場合は、レンズ射出挙動不全となる場合の眼内レンズ挿入器具２のＯリング１０３２への挿入状態を把握することができる。
【００４１】
〔第２の変形例〕
以下に、第２の変形例に係る眼内レンズ挿入器具の練習用キット２０００について説明する。また、第２の変形例に係る眼内レンズ挿入器具の練習用キット２０００においては、眼内レンズ挿入器具２の先端部が挿通可能な挿入部が２つ設けられている。そして、一方の挿入部２０１０において、透明プレート２０１０ａに設けられる挿入孔２０１０ｈの径、Ｏリング２０１０ｃの内径、貫通孔２０１０ｄの径は、第２の実施形態の挿入孔１０５ｈと同様に構成される。また、もう一方の挿入部２０１１において、透明プレート２０１１ａに設けられる挿入孔２０１１ｈの径、Ｏリング２０１１ｃの内径、貫通孔２０１１ｄの径は、挿入部２０１０の挿入孔２０１０ｈの径、Ｏリング２０１０ｃの内径、貫通孔２０１０ｄの径よりもそれぞれ小径となるように構成される。
【００４２】
このため、後述するように、眼内レンズ挿入器具２を挿入孔２０１１ｈに挿入する場合、眼内レンズ挿入器具２の先端部は挿入孔２０１１ｈを挿通することができるが、眼内レンズ挿入器具２の本体は、その径が挿入孔２０１１ｈの径より大きいため挿入孔２０１１ｈに当接して挿通することができない。
【００４３】
図１４に、眼内レンズ挿入器具２を挿入孔２０１０ｈに挿入する場合の例を示す。また、図１５に眼内レンズ挿入器具２を挿入孔２０１１ｈに挿入する場合の例を示す。図１４に示すように、挿入孔２０１０ｈに眼内レンズ挿入器具２が挿入される場合、図１０の場合と同様、練習者による眼内レンズ挿入器具２の押し込み力に応じて適切な位置まで眼内レンズ挿入器具２が挿入孔２０１０ｈ内を移動する。一方、挿入孔２０１１ｈに眼内レンズ挿入器具２が挿入される場合、図１５に示すように眼内レンズ挿入器具２が挿入孔２０１１ｈの縁に当接し、眼内レンズ挿入器具２を上記の適切な位置まで移動させることができない。したがって、眼内レンズ挿入器具２を挿入孔２０１１ｈに挿入する場合は、必然的に挿入量が不十分で適切でなくレンズ射出挙動不全が発生する可能性がある状態となる。
【００４４】
このように、本変形例では、眼内レンズ挿入器具２を挿入孔２０１０ｈだけでなく挿入孔２０１１ｈにも挿入可能となるように、眼内レンズ挿入器具の練習用キット２０００を構成することで、練習者は、レンズ射出挙動不全となる場合の眼内レンズ挿入器具２の挿入状態を把握することができる。
【００４５】
〔第３の変形例〕
以下に、第３の変形例に係る眼内レンズ挿入器具の練習用キット３０００について説明する。本変形例の眼内レンズ挿入器具の練習用キット３０００は、第１の実施形態の眼内レンズ挿入器具の練習用キット１とは、Ｏリング２２の代わりにシリコーンシート３００１が用いられている点のみが異なり、それ以外は同じ構成を有する。
【００４６】
図１６に、本変形例に係る眼内レンズ挿入器具の練習用キット３０００の概略構成図を示す。図１６に示すように、眼内レンズ挿入器具の練習用キット３０００のシリコーンシート３００１にはシートの表裏を貫通する切り込み３００１ａが設けられている。切り込み３００１ａの幅は、第１の実施形態のＯリング２２の内径と同一である。また、切り込み３００１ａに眼内レンズ挿入器具が挿入されると、切り込み３００１ａは眼内レンズ挿入器具の外形に合わせて開口および変形する。
【００４７】
上述した通り、実際の手術では、角膜、強角膜などに切り込み３００１ａと同様の切開創が設けられる。したがって、本変形例の眼内レンズ挿入器具の練習用キット３０００によれば、上記の実施形態および変形例のようにＯリングを使用する場合に比べて、より実際の手術に近い状況を想定した眼内レンズ挿入器具の挿入を疑似体験することが可能となる。
【符号の説明】
【００４８】
１、１０、１０００、２０００、３０００    眼内レンズ挿入器具の挿入練習用キット
１０、１１、１２、１０５ａ    透明プレート
１０ｈ、１１ｈ、１２ｈ、１０５ｈ、１０１０ｈ、１０１１ｈ、２０１０ｈ、２０１１ｈ    挿入孔
２１、１０５ｂ    ワッシャ
２２、１０５ｃ    Ｏリング
３００１    シリコーンシート
Ｐ１    透明プレート１０の上面
Ｐ３    挿入孔の開口面
【図１】
2016076391.tif 000003
【図２】
2016076391.tif 000004
【図３】
2016076391.tif 000005
【図４】
2016076391.tif 000006
【図５】
2016076391.tif 000007
【図６】
2016076391.tif 000008
【図７】
2016076391.tif 000009
【図８】
2016076391.tif 000010
【図９】
2016076391.tif 000011
【図１０】
2016076391.tif 000012
【図１１】
2016076391.tif 000013
【図１２】
2016076391.tif 000014
【図１３】
2016076391.tif 000015
【図１４】
2016076391.tif 000016
【図１５】
2016076391.tif 000017
【図１６】
2016076391.tif 000018
【国際調査報告】
2016076391.tif 000019
2016076391.tif 000020
2016076391.tif 000021
2016076391.tif 000022